(57)【要約】【課題】意図的なリーク電流を流すことなくアース接続不良を検出する。【解決手段】被測定物２の筐体と計測器３の筐体との間を接続してグランドを共通接地する。被測定物２は、ノイズフィルタ４ａが内蔵又は外付けされた電源装置４と、電源装置４に接続された２極又は３極のＡＣインレット５とを備える。計測器３は、ノイズフィルタ６ａが内蔵又は外付けされた電源装置６と、電源装置６に接続された３極のＡＣインレット７と、電源装置６とＡＣインレット５との間に接続されたカレントトランス８と、カレントトランス８に流れる漏洩電流を検出する漏洩電流検出部９と、漏洩電流検出部９にて検出した漏洩電流が正常範囲内にあるか否かを判別し、漏洩電流が正常範囲を逸脱したときに異常信号を出力する信号判別処理部１０とを備える。【選択図】図１
2016151518.tif 000002
【特許請求の範囲】
【請求項１】
被測定物（２）と計測器（３）との間を接続してグランドが共通接地され、前記被測定物側および／または前記計測器側が正しくアース接続されているか否かを検出するアース接続不良検出装置（１）において、
前記被測定物は、
ノイズフィルタ（４ａ）が内蔵又は外付けされた電源装置（４）と、
該電源装置に接続された２極又は３極のＡＣインレット（５）とを備え、
前記計測器は、
ノイズフィルタ（６ａ）が内蔵又は外付けされた電源装置（６）と、
該電源装置に接続された３極のＡＣインレット（７）と、
前記電源装置と前記ＡＣインレットとの間に接続されたカレントトランス（８）と、
前記カレントトランスに流れる漏洩電流を検出する漏洩電流検出部（９）と、
前記漏洩電流検出部にて検出した前記漏洩電流が正常範囲内にあるか否かを判別し、前記漏洩電流が前記正常範囲を逸脱したときに異常信号を出力する信号判別処理部（１０）とを備えたことを特徴とするアース接続不良検出装置。
【請求項２】
前記信号判別処理部（１０）が前記異常信号を出力したときに、その旨を表示や音声により出力する出力部（１２）を備えたことを特徴とする請求項１記載のアース接続不良検出装置。
【請求項３】
前記漏洩電流が前記正常範囲を逸脱したときのログを少なくとも記憶する記憶部（１１）を備えたことを特徴とする請求項１又は２記載のアース接続不良検出装置。
【請求項４】
ノイズフィルタ（４ａ）が内蔵又は外付けされた電源装置（４）と、該電源装置に接続された２極又は３極のＡＣインレット（５）とを有する被測定物（２）と、ノイズフィルタ（６ａ）が内蔵又は外付けされた電源装置（６）と、該電源装置に接続された３極のＡＣインレット（７）と、前記電源装置と前記ＡＣインレットとの間に接続されたカレントトランス（８）とを有する計測器（３）との間を接続してグランドが共通接地され、前記被測定物側および／または前記計測器側が正しくアース接続されているか否かを検出するアース接続不良検出方法において、
前記カレントトランスに流れる漏洩電流を検出するステップと、
前記漏洩電流が正常範囲内にあるか否かを判別し、前記漏洩電流が前記正常範囲を逸脱したときに異常信号を出力するステップとを含むことを特徴とするアース接続不良検出方法。
【請求項５】
前記異常信号を出力したときに、その旨を表示や音声により出力するステップを含むことを特徴とする請求項４記載のアース接続不良検出方法。
【請求項６】
前記漏洩電流が前記正常範囲を逸脱したときのログを少なくとも記憶するステップを含むことを特徴とする請求項４又は５記載のアース接続不良検出方法。
【発明の詳細な説明】
【技術分野】
【０００１】
本発明は、被測定物（ＤＵＴ：Device Under Test ）と、被測定物の各種計測を行う計測器のグランドが共通接地され、被測定物側および／または計測器側が正しくアース接続されているか否かを検出するアース接続不良検出装置及びアース接続不良検出方法に関する。
【背景技術】
【０００２】
下記特許文献１には、接地不良が原因で不測の事態が発生するのを防止するため、電気機器の接地状態を常に監視し、接地不良が認識されると自動的に電気機器の負荷への給電を停止する接地不良検出回路が開示されている。さらに説明すると、特許文献１の接地不良検出回路は、電気機器内に配線された商用交流電源の２本の電源ラインをそれぞれ小容量コンデンサを介して電気機器のアース線接続用接地端子に接続し、電源ラインから接地端子に流れるリーク電流を検出する電流センサと、電流センサの信号を増幅するアンプと、電源ラインに負荷への給電を遮断する常閉リレー接点とを設け、リーク電流が一定値以下の場合に常閉リレー接点が開かれるようにしている。
【先行技術文献】
【特許文献】
【０００３】
【特許文献１】特開平０８−１６３７７６号公報
【発明の概要】
【発明が解決しようとする課題】
【０００４】
しかしながら、上述した特許文献１の接地不良検出回路は、商用電源を使用した電気機器内に付設され、接地不良回路自身の接地端子が接地されているか否かにより負荷への電源供給を制御するものであって、被測定物と計測器との間を接続してグランドを共通接地し、被測定物の各種計測を計測器で行う構成におけるアース接続不良の検出に対応したものではなかった。そして、特許文献１の接地不良検出回路は、意図的にリーク電流を流す必要があり、接地端子が接地されていない場合には負荷への電源供給が遮断される。このため、負荷を再起動する際の待ち時間、安定時間を待つなどの時間的な損失があった。しかも、特許文献１の接地不良検出回路では、負荷への電源供給が遮断されたときにソウトウェアが動作していると、データ損失やデータ破損を招く恐れがあった。
【０００５】
ところで、漏洩電流値は、ＩＥＣ規格やＰＳＥ（電気用品安全法）などの安全性規格で規制されており、例えばインドアユース又はアウトドアユース、大型機器又は小型機器などのように、被測定物２が使用される環境やカテゴリなどに応じて例えば数ｍＡ程度に設定される。また、ＡＣ電源アース不良の状態で計測器と被測定物との間を接続すると、両者に大きな電位差が発生している場合があり、計測器および被測定物がＥＳＤ損傷する可能性が高まる。そして、近年では、半導体のＥＳＤ（Electro-Static-Discharge）耐力が半導体プロセスの進展とともに下がっており、計測器と被測定物との間のアース接続は重要な課題となっている。しかも、被測定物では、電源が２極タイプのＡＣアダプタなどでアース接続がなされないケースも増えている。このため、計測器によって被測定物の各種計測を行うにあたって、被測定物と計測器のグランドを共通接地する場合に、被測定物側や計測器側のアース接続不良を確実に検出できる構成や方法が望まれていた。
【０００６】
そこで、本発明は上記問題点に鑑みてなされたものであって、従来のような意図的なリーク電流を流すことなくアース接続不良を確実に検出することができるアース接続不良検出装置及びアース接続不良検出方法を提供することを目的としている。
【課題を解決するための手段】
【０００７】
上記目的を達成するため、本発明の請求項１に記載されたアース接続不良検出装置は、被測定物２と計測器３との間を接続してグランドが共通接地され、前記被測定物側および／または前記計測器側が正しくアース接続されているか否かを検出するアース接続不良検出装置１において、
前記被測定物は、
ノイズフィルタ４ａが内蔵又は外付けされた電源装置４と、
該電源装置に接続された２極又は３極のＡＣインレット５とを備え、
前記計測器は、
ノイズフィルタ６ａが内蔵又は外付けされた電源装置６と、
該電源装置に接続された３極のＡＣインレット７と、
前記電源装置と前記ＡＣインレットとの間に接続されたカレントトランス８と、
前記カレントトランスに流れる漏洩電流を検出する漏洩電流検出部９と、
前記漏洩電流検出部にて検出した前記漏洩電流が正常範囲内にあるか否かを判別し、前記漏洩電流が前記正常範囲を逸脱したときに異常信号を出力する信号判別処理部１０とを備えたことを特徴とする。
【０００８】
請求項２に記載されたアース接続不良検出装置は、請求項１のアース接続不良検出装置において、
前記信号判別処理部１０が前記異常信号を出力したときに、その旨を表示や音声により出力する出力部１２を備えたことを特徴とする。
【０００９】
請求項３に記載されたアース接続不良検出装置は、請求項１又は２のアース接続不良検出装置において、
前記漏洩電流が前記正常範囲を逸脱したときのログを少なくとも記憶する記憶部１１を備えたことを特徴とする。
【００１０】
請求項４に記載されたアース接続不良検出方法は、ノイズフィルタ４ａが内蔵又は外付けされた電源装置４と、該電源装置に接続された２極又は３極のＡＣインレット５とを有する被測定物２と、ノイズフィルタ６ａが内蔵又は外付けされた電源装置６と、該電源装置に接続された３極のＡＣインレット７と、前記電源装置と前記ＡＣインレットとの間に接続されたカレントトランス８とを有する計測器３との間を接続してグランドが共通接地され、前記被測定物側および／または前記計測器側が正しくアース接続されているか否かを検出するアース接続不良検出方法において、
前記カレントトランスに流れる漏洩電流を検出するステップと、
前記漏洩電流が正常範囲内にあるか否かを判別し、前記漏洩電流が前記正常範囲を逸脱したときに異常信号を出力するステップとを含むことを特徴とする。
【００１１】
請求項５に記載されたアース接続不良検出方法は、請求項４のアース接続不良検出方法において、
前記異常信号を出力したときに、その旨を表示や音声により出力するステップを含むことを特徴とする。
【００１２】
請求項６に記載されたアース接続不良検出方法は、請求項４又は５のアース接続不良検出方法において、
前記漏洩電流が前記正常範囲を逸脱したときのログを少なくとも記憶するステップを含むことを特徴とする。
【発明の効果】
【００１３】
本発明によれば、被測定物と計測器との間を接続してグランドが共通接地され、計測器内の電源装置とＡＣインレットとの間に接続されたカレントトランスに流れる漏洩電流を検出し、この検出した漏洩電流が正常範囲内にあるか否かを判別し、漏洩電流が正常範囲を逸脱したときに異常信号を出力するので、従来のような意図的なリーク電流を流すことなくアース接続不良を確実に検出することができる。
【００１４】
また、漏洩電流が正常範囲を逸脱したときには、漏洩電流が異常である旨を表示や音声により出力するので、ユーザに対してアース接続不良が生じていることを表示や音声により確実に知らせることができる。
【００１５】
さらに、漏洩電流を検出してから漏洩電流が正常範囲内か否かを判別するまでの一連のログを記憶するので、ログの解析結果をアース接続不良に関する改善提案に役立てることができる。
【図面の簡単な説明】
【００１６】
【図１】本発明に係るアース接続不良検出装置の概略構成図である。
【図２】本発明に係るアース接続不良検出装置における計測器と被測定物のそれぞれの電源装置に内蔵又は外付けされるノイズフィルタの一例を示す図である。
【発明を実施するための形態】
【００１７】
以下、本発明を実施するための形態について、添付した図面の図１及び図２を参照しながら詳細に説明する。
【００１８】
図１に示すように、アース接続不良検出装置１は、被測定物２と、被測定物２の各種計測を行う計測器３とから構成される。被測定物２と計測器３とは、例えば同軸ケーブルの外皮を測定アースＥとして筐体同士をケーブル接続することによりグランドが共通接地される。そして、本例におけるアース接続不良検出装置１は、被測定物２側および／または計測器３側が正しくアース接続されているか否かを検出する機能を有している。以下、被測定物２と計測器３の構成について説明する。
【００１９】
被測定物２は、計測器３によって各種測定が行われる測定対象であり、電源装置４とＡＣインレット５を備えている。
【００２０】
電源装置４は、被測定物２の駆動に必要な電源を供給するスイッチング電源であり、ノイズフィルタ４ａを内蔵している。ノイズフィルタ４ａは、一般的に知られている単相１段フィルタから構成され、電源装置４へ侵入、流出する伝導ノイズを阻止している。本例で使用するノイズフィルタ４ａは、図２に示すように、端子（ライン）４ａ１，４ａ２と端子（ロード）４ａ３，４ａ４とがチョークコイルＬ１を介して接続される。また、端子４ａ１，４ａ２とチョークコイルＬ１との間には、抵抗Ｒ１とコンデンサＣ１が並列接続される。さらに、チョークコイルＬ１と端子４ａ３，４ａ４との間には、コンデンサＣ２と抵抗Ｒ２と同容量のコンデンサＣ３，Ｃ４の直列回路が並列接続される。また、コンデンサＣ３とコンデンサＣ４の中点は、ノイズフィルタ４ａの筐体を介してアースに接続される。
【００２１】
ＡＣインレット５は、グランド接続線２ａと信号線２ｂにより電源装置４と接続され、２極タイプのインレット又は３極タイプのインレットが用いられる。２極タイプのインレットは、ＡＣ入力端子としてＬ（ライブ）端子とＮ（ニュートラル）端子を備えている。また、３極タイプのインレットは、Ｌ端子とＮ端子に加えてＧ（グランド）端子を備えている。ＡＣインレット５は、グランド接続線２ａが被測定物２の筐体にアースされ、Ｌ端子が商用電源の非接地側に接続され、Ｎ端子が接地側に接続される。また、ＡＣインレット５が３極タイプのインレットの場合には、電源のＧ端子が感電防止及びノイズ防止のためにアースに接続される。
【００２２】
計測器３は、電源装置６、３極のＡＣインレット７、カレントトランス（ＣＴ）８、漏洩電流検出部９、信号判別処理部１０、記憶部１１、出力部１２を備えている。
【００２３】
電源装置６は、計測器３の各部の駆動に必要な電源を供給するスイッチング電源であり、ノイズフィルタ６ａを内蔵している。ノイズフィルタ６ａは、被測定物２のノイズフィルタ４ａと同様に、図２に示す回路構成の単相１段フィルタで構成され、電源装置６へ侵入、流出する伝導ノイズを阻止している。
【００２４】
ＡＣインレット７は、グランド接続線３ａと信号線３ｂにより電源装置６と接続され、電源のＡＣ入力端子としてＬ（ライブ）端子とＮ（ニュートラル）端子、さらにＧ（グランド）端子を備えた３極タイプのインレットから構成される。ＡＣインレット７は、グランド接続線３ａが計測器３の筐体にアースされ、被測定物２の３極タイプのＡＣインレット５と同様に、Ｌ端子が商用電源の非接地側に接続され、Ｎ端子が接地側に接続され、Ｇ端子がアースに接続される。
【００２５】
カレントトランス８は、ＡＣインレット７のＧ端子と電源装置６との間を接続して筐体アースされたグランド接続線３ａに接続され、グランド接続線３ａに流れる交流の漏洩電流を漏洩電流検出部９に出力する。ここで、カレントトランス８を使用するのは、保護接地端子の抵抗値規制への対応と高圧絶縁性能を確保するためである。
【００２６】
漏洩電流検出部９は、グランド接続線３ａに流れる交流の漏洩電流を検出するため、電流検出部９ａ、Ｉ−Ｖ変換増幅部９ｂ、整流回路９ｃを有している。
【００２７】
電流検出部９ａは、グランド接続線３ａに流れる交流の漏洩電流をカレントトランス８を介して検出する。
【００２８】
Ｉ−Ｖ変換増幅部９ｂは、電流検出部９ａが検出した交流の漏洩電流を電圧値に変換増幅する。
【００２９】
整流回路９ｃは、Ｉ−Ｖ変換増幅部９ｂが変換増幅した漏洩電流の電圧値を整流し、直流の漏洩電圧信号として信号判別処理部１０に出力する。
【００３０】
信号判別処理部１０は、漏洩電流検出部９の整流回路９ｃから入力される直流の漏洩電圧信号を処理するため、電圧比較器１０ａと制御部１０ｂを有している。
【００３１】
電圧比較器１０ａは、例えばウィンドウコンパレータで構成され、接地抵抗や雑音などによる誤差を加味して上限閾値電圧と下限閾値電圧が予め設定されている。本例では、上限閾値電圧と下限閾値電圧との間の範囲を規定（定常）の正常範囲（期待値）としている。そして、電圧比較器１０ａは、整流回路９ｃからの直流の漏洩電圧信号の電圧値が正常範囲内にあれば、漏洩電流が正常であることを示す漏洩電流正常検出信号を出力する。また、電圧比較器１０ａは、整流回路９ｃからの直流の漏洩電圧信号の電圧値が正常範囲から逸脱していれば、漏洩電流が異常であることを示す漏洩電流異常検出信号を出力する。なお、電圧比較器１０ａは、漏洩電圧信号の電圧値が設定時間（例えば１秒前後）継続して正常範囲を逸脱したときに、漏洩電流異常検出信号を出力してもよい。これにより、漏洩電流の異常検出を確実に行うことができる。
【００３２】
制御部１０ｂは、電圧比較器１０ａから漏洩電流正常検出信号が入力されると、漏洩電流が正常であって、正しくアース接続されていると判断する。また、制御部１０ｂは、電圧比較器１０ａから漏洩電流異常検出信号が入力されると、漏洩電流が異常であって、アース接続が不完全（アース接続不良）であると判断し、その旨をユーザに知らせるため、出力部１２を制御する。さらに、制御部１０ｂは、漏洩電流検出部９が漏洩電流を検出してから漏洩電流の電圧値が正常範囲内か否かを判別するまでの一連のログを記憶部１１に記憶する。
【００３３】
記憶部１１は、制御部１０ｂの制御により、漏洩電流検出部９が漏洩電流を検出してから漏洩電流の電圧値が正常範囲内か否かを判別するまでの一連のログを記憶する。
【００３４】
出力部１２は、漏洩電流が異常であって、アース接続が不完全である旨の警告を発してユーザに知らせるものであり、例えば液晶表示器や表示ランプなどの表示部やスピーカなどの音声出力部で構成される。出力部１２としての表示部は、制御部１０ｂの制御により、アース接続が不完全である旨のメッセージを液晶表示器の画面上に表示したり、アース接続が不完全であることを示すために表示ランプを点灯する。また、出力部１２としての音声出力部は、制御部１０ｂの制御により、アース接続が不完全であることをスピーカから音声、もしくは警報音を出力する。
【００３５】
なお、本例では、図２のノイズフィルタ４ａ，６ａを電源装置４，６に内蔵した構成としているが、ノイズフィルタ４ａ，６ａを電源装置４，６に外付けする構成であってもよい。また、ノイズフィルタ４ａ，６ａは図２の回路構成に限定されるものではない。
【００３６】
次に、上記のように構成されるアース接続不良検出装置１を用いたアース接続不良検出方法について説明する。ここでは、被測定物２のＡＣインレット５として３極タイプのインレットを用いているものとしている。なお、被測定物２のＡＣインレット５として２極タイプのインレットを用いた場合には、被測定物２側がアース接続不良となる。
【００３７】
まず、被測定物２のＡＣインレット５のグランド端子および計測器３のＡＣインレット７のグランド端子が正しくアース接続されている場合は、ノイズフィルタ６ａに起因する一定量（数ｍＡ）の漏洩電流ｉ１が電源装置６ａから流れる。この漏洩電流ｉ１は、図１の矢印Ａの経路で示すように、電源装置６ａからグランド接続線３ａを介してＡＣインレット７に向かって流れ、グランド接続線３ａに接続されたカレントトランス８を介して電流検出部９ａで検出される。電流検出部９ａが検出した漏洩電流ｉ１は、Ｉ−Ｖ変換増幅部９ｂにて電圧値に変換増幅された後、整流回路９ｃにて整流され、直流の漏洩電圧信号として出力される。電圧比較器１０ａは、一定量の漏洩電流ｉ１に基づく整流回路９ｃからの直流の漏洩電圧信号の電圧値が正常範囲内にあるため、漏洩電流が正常であることを示す漏洩電流正常検出信号を出力する。そして、制御部１０ｂは、電圧比較器１０ａから漏洩電流正常検出信号が入力されると、漏洩電流が正常であって、正しくアース接続されており、被測定物２と計測器３のグランドが共通接地されて安全が保たれた状態と判断し、一連のログを記憶部１１に記憶する。
【００３８】
これに対し、計測器３のＡＣインレット７のグランド端子が正しくアースが接続されていない場合、被測定物２のＡＣインレット５のグランド端子および計測器３のＡＣインレット７のグランド端子が正しくアースが接続されておらず被測定物２側および計測器３側の双方ともにアース接続不良の場合には、漏洩電流がカレントトランス８にほとんど流れない。また、被測定物２のＡＣインレット５のグランド端子が正しくアース接続されておらず被測定物２側がアース接続不良の場合は、図１の矢印Ｂの経路で示すように、被測定物２の電源装置４から測定アースＥを通じてグランド接続線３ａに漏洩電流ｉ２が流れ、通常よりも大きい漏洩電流ｉ２がカレントトランス８を介して電流検出部９ａで検出される。そして、これらの場合、電圧比較器１０ａは、整流回路９ｃからの直流の漏洩電圧信号の電圧値が正常範囲内にないため、漏洩電流が異常であって、アース接続が不完全であることを示す漏洩電流異常検出信号を出力する。このとき、電圧比較器１０ａは、整流回路９ｃからの漏洩電圧信号の電圧値が設定時間継続して正常範囲を逸脱しているときに、漏洩電流異常検出信号を出力することもできる。
【００３９】
すなわち、カレントトランス８で検出される漏洩電流が期待値よりも小さい場合や大きい場合であって、漏洩電流が正常範囲から逸脱している場合や設定時間継続して正常範囲から逸脱している場合には、電圧比較器１０ａから漏洩電流異常検出信号が出力される。そして、制御部１０ｂは、電圧比較器１０ａから漏洩電流異常検出信号が入力されると、漏洩電流が異常であって、アース接続が不完全であると判断し、その旨を出力部１２を介してユーザに警告するとともに、一連のログを記憶部１１に記憶する。
【００４０】
なお、計測器３と被測定物２との間の接続が測定アースＥだけの接続であっても同様の検出結果となる。つまり、本例によれば、漏洩電流が正常範囲内か否かによってＡＣ電源のアース接続の良否が検出可能である。
【００４１】
このように、本例のアース接続不良検出装置及びアース接続不良検出方法では、被測定物２の筐体と計測器３の筐体との間を測定アースＥにて接続してグランドを共通接地するとともに、計測器３内における電源装置６とＡＣインレット７との間のグランド接続線３ａにカレントトランス８を接続する。そして、カレントトランス８の電流出力をＩ−Ｖ変換増幅部９ｂで電圧増幅し、整流回路９ｃを通して直流の電圧値（漏洩電圧信号）に変換する。そして、その直流の電圧値が予め設定された規定（定常）の正常範囲内にあるか否かを電圧比較器１０ａで比較し、直流の電圧値が正常範囲を逸脱した場合や設定時間継続して正常範囲を逸脱した場合に漏洩電流異常検出信号を出力し、この漏洩電流異常検出信号を元に制御部１０ｂが出力部１２（表示部や音声出力部）を介してアース接続不良をユーザへ警告を発する。これにより、従来のような意図的なリーク電流を流すことなくアース接続不良を確実に検出することができる。しかも、ユーザに対し、アース接続不良が生じていることを表示や音声によって確実に知らせることができる。
【００４２】
また、本例では、漏洩電流検出部９が漏洩電流を検出してから漏洩電流が正常範囲内か否かを判別するまでの一連のログを記憶部１１に記憶している。これにより、記憶部１１に記憶されたログを解析し、このログの解析結果をアース接続不良に関する改善提案に役立てることができる。なお、記憶部１１には、漏洩電流が正常範囲を逸脱したときのログが少なくとも記憶されるようにしてもよい。これにより、漏洩電流に異常が発生したときの必要最小限のログを記憶部１１に記憶することができる。
【００４３】
ところで、上述した実施の形態では、図１に示すように、信号判別処理部１０を電圧比較器１０ａと制御部１０ｂで構成したが、例えばＡ／Ｄ変換器と演算処理部（ＣＰＵ）に置き換えて信号判別処理部１０を構成することもできる。この場合、Ａ／Ｄ変換器は、整流回路９ｃからの漏洩電流のアナログ値をデジタル値に変換する。そして、演算処理部は、Ａ／Ｄ変換器にて変換されたデジタル値が予め設定される正常範囲内にあるか否かを判別し、デジタル値が正常範囲から逸脱している場合や設定時間継続して正常範囲を逸脱している場合に漏洩電流異常検出信号を出力し、漏洩電流が異常であって、アース接続が不完全である旨を出力部１２を介してメッセージ表示やランプ点灯によりユーザに警告する。また、漏洩電流検出部９が漏洩電流を検出してから漏洩電流が正常範囲内か否かを判別するまでの一連のログを記憶部１１に記憶する。
【００４４】
以上、本発明に係るアース接続不良検出装置及び方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００４５】
１  アース接続不良検出装置
２  被測定物（ＤＵＴ）
２ａ  グランド接続線
３  計測器
３ａ  グランド接続線
４  電源装置
４ａ  ノイズフィルタ
４ａ１，４ａ２  端子（ライン）
４ａ３，４ａ４  端子（ロード）
５  ＡＣインレット
６  電源装置
６ａ  ノイズフィルタ
７  ＡＣインレット
８  カレントトランス（ＣＴ）
９  漏洩電流検出部
９ａ  電流検出部
９ｂ  Ｉ−Ｖ変換増幅部
９ｃ  整流回路
１０  信号処理部
１０ａ  電圧比較器
１０ｂ  制御部
１１  記憶部
１２  出力部
Ｅ  測定アース
ｉ１，ｉ２  漏洩電流
Ｒ１，Ｒ２  抵抗
Ｃ１，Ｃ２，Ｃ３，Ｃ４  コンデンサ
Ｌ１  チョークコイル
【図１】
2016151518.tif 000003
【図２】
2016151518.tif 000004